(57)【要約】【課題】原稿のコピー及び画像読取時の原稿配置の誤りを軽減することができる画像形成装置及び画像形成方法を提供することである。【解決手段】実施形態の画像形成装置は、画像読取部と、認識部と、画像データ生成部とを持つ。画像読取部は、紫外光下で発光する第１の記録剤によって形成された第１の画像と可視光下で認識可能な第２の記録剤によって形成された第２の画像とを有する原稿画像を読取ることで画像データを生成する。認識部は、前記画像読取部にて読み取った前記第１の画像の画像データから前記第２の画像の位置情報を認識する。画像データ生成部は、前記位置情報に基づいて前記第２の画像の画像データを補正した補正画像データを生成する。【選択図】図１
2018148269.tif 000002
【特許請求の範囲】
【請求項１】
紫外光下で発光する第１の記録剤によって形成された第１の画像と可視光下で認識可能な第２の記録剤によって形成された第２の画像とを有する原稿画像を読取ることで画像データを生成する画像読取部と、
前記画像読取部にて読み取った前記第１の画像の画像データから前記第２の画像の位置情報を認識する認識部と、
前記位置情報に基づいて前記第２の画像の画像データを補正した補正画像データを生成する画像データ生成部と、
を備える画像形成装置。
【請求項２】
紫外光下で発光する第１の記録剤を用いて画像を形成する第１の画像形成部と、
可視光下で認識可能な第２の記録剤を用いて画像を形成する第２の画像形成部と、
を有し、
前記第２の画像形成部は、前記画像データ生成部で生成された前記補正画像データに基づいて被画像形成媒体上に画像を形成し、
前記第１の画像形成部は、前記被画像形成媒体上に前記画像の画像領域を表すエリア情報を表す画像を表すエリア画像を付加することを特徴とする
請求項１に記載の画像形成装置。
【請求項３】
紫外光下で発光する第１の記録剤によって形成された第１の画像と可視光下で認識可能な第２の記録剤によって形成された第２の画像とを有する原稿画像を画像読取部で読取ることにより画像データを生成する画像読取ステップと、
前記画像読取ステップにて読み取った前記第１の画像の画像データから前記第２の画像の位置情報を認識する認識ステップと、
前記認識ステップで認識された位置情報に基づいて、前記第２の画像の画像データを補正した補正画像データを生成する画像データ生成ステップと、
を備える画像形成方法。
【請求項４】
前記画像データ生成ステップで生成された前記補正画像データに基づいて被画像形成媒体上に可視光下で認識可能な第２の記録剤を用いて前記第２の画像を形成するステップと、
前記被画像形成媒体上に前記第２の画像の画像領域を表すエリア情報を表す前記第１の画像を前記第１の記録剤で付加するステップと、
を有する請求項３に記載の画像形成方法。
【発明の詳細な説明】
【技術分野】
【０００１】
本発明の実施形態は、画像形成装置及び画像形成方法に関する。
【背景技術】
【０００２】
複写機において、原稿をフィーダまたは原稿台ガラスの上に載置して原稿画像の読み取りを行う場合、原稿が基準読取位置に対して傾いて載置されるまたは搬送される等の理由で、シート等の出力媒体に対し傾いた画像が複写される場合があった。
一方、紫外線を当てることで発光する顔料が知られている。これらの顔料を使った記録剤は、可視光下では肉眼による認識が難しく、紫外線照射時に認識できる顔料の特性をいかし、偽造検出、暗闇内のイベント又はアトラクションでの掲示物の作成に用いられる。しかし、画像形成装置の誤操作を抑制し利便性を向上させる観点での、紫外線発光顔料を含む記録剤の活用はいまだ充分ではない。
【先行技術文献】
【特許文献】
【０００３】
【特許文献１】特開２００９−２１９７９号公報
【特許文献２】特開平６−１３９３３９号公報
【発明の概要】
【発明が解決しようとする課題】
【０００４】
本発明が解決しようとする課題は、紫外線により発光するトナーまたはインク（以下「ＵＶ発光トナー」、「ＵＶ発光インク」という。）などの記録剤により原稿のコピーと画像読取時の原稿配置の誤りとを軽減することができる画像形成装置及び画像形成方法を提供することである。
【課題を解決するための手段】
【０００５】
実施形態の画像形成装置は、画像読取部と、認識部と、画像データ生成部とを持つ。画像読取部は、紫外光下で発光する第１の記録剤によって形成された第１の画像と可視光下で認識可能な第２の記録剤によって形成された第２の画像とを有する原稿画像を読取ることで画像データを生成する。認識部は、前記画像読取部にて読み取った前記第１の画像の画像データから前記第２の画像の位置情報を認識する。画像データ生成部は、前記位置情報に基づいて前記第２の画像の画像データを補正した補正画像データを生成する。
【図面の簡単な説明】
【０００６】
【図１】実施形態の画像形成装置１００の全体構成例を示す外観図。
【図２】実施形態の画像読取部２００の光学系の構成を詳しく示すブロック図。
【図３】実施形態の画像形成装置１００の構成を表す機能ブロック図。
【図４】実施形態の画像形成装置１００の画像形成処理の流れを表すフローチャート。
【図５】実施形態の画像形成装置１００の画像読取処理の流れを表すフローチャートである。
【図６】ＵＶ発光トナーで文書情報及びマークが画像形成された文書の一具体例。
【図７】実施形態の画像形成装置１００で文書を画像読取した際の画像情報の一具体例である。
【図８】実施形態の画像読取部２００の構成例を示す概略図。
【図９】不適切に原稿が配置される場合の一具体例を示す図。
【図１０】ＵＶ発光トナーで画像形成されたマークに基づいて生成された画像データを表す図。
【発明を実施するための形態】
【０００７】
以下、実施形態の画像形成装置及び画像形成方法を、図面を参照して説明する。
【０００８】
図１は、実施形態の画像形成装置１００の全体構成例を示す外観図である。画像形成装置１００は、例えば複合機である。画像形成装置１００は、ディスプレイ１１０、コントロールパネル１２０、第１プリンタ部１３０、第２プリンタ部１３１、シート収容部１４０及び画像読取部２００を備える。なお、画像形成装置１００の第１プリンタ部１３０及び第２プリンタ部１３１は、トナー像を定着させる装置であってもよいし、インクジェット式であってもよい。
【０００９】
画像形成装置１００は、トナー等の記録剤を用いてシート上に画像を形成する。シートは、例えば紙やラベル用紙である。シートは、その表面に画像形成装置１００が画像を形成できる物であればどのような物であってもよい。シートは被画像形成媒体の一態様である。
【００１０】
ディスプレイ１１０は、液晶ディスプレイ、有機ＥＬ（Electro Luminescence）ディスプレイ等の画像表示装置である。ディスプレイ１１０は、画像形成装置１００に関する種々の情報を表示する。
【００１１】
コントロールパネル１２０は、複数のボタンを有する。コントロールパネル１２０は、ユーザの操作を受け付ける。コントロールパネル１２０は、ユーザによって行われた操作に応じた信号を、画像形成装置１００の制御部に出力する。なお、ディスプレイ１１０とコントロールパネル１２０とは一体のタッチパネルとして構成されてもよい。コントロールパネル１２０は入力部の一態様である。
【００１２】
第１プリンタ部１３０は、画像読取部２００によって生成された画像情報又は通信路を介して受信された画像情報に基づいて、シート上に画像を形成する。第１プリンタ部１３０は、例えば以下のような処理によって画像を形成する。第１プリンタ部１３０の画像形成部は、画像情報に基づいて図示しない感光体ドラム上に静電潜像を形成する。第１プリンタ部１３０の画像形成部は、静電潜像にトナーを付着させることによって可視像を形成する。第１プリンタ部１３０の転写部は、可視像をシート上に転写する。第１プリンタ部１３０の定着部は、シートに対して加熱及び加圧を行うことによって、可視像をシート上に定着させる。なお、画像が形成されるシートは、シート収容部１４０に収容されているシートであってもよいし、手指しされたシートであってもよい。本実施例では第１プリンタ部１３０は、可視光下で認識可能なカーボンブラック等の顔料を有する通常トナー（以下、「通常トナー」という。）を用いて画像形成を行うとする。第１プリンタ部１３０は、第２の画像形成部の一態様である。通常トナーは、第２の記録剤の一態様である。
【００１３】
第２プリンタ部１３１は、画像読取部２００によって生成された画像情報又は通信路を介して受信された画像情報に基づいて、シート上に画像を形成する。第２プリンタ部１３１は、第１プリンタ部１３０と同様の処理によって画像を形成する。第２プリンタ部１３１は短波長（約３５０−３８０ｎｍ）の紫外光を照射すると発光するＵＶ発光トナーを用いて画像形成を行うとする。第２プリンタ部１３１は、第１の画像形成部の一態様である。ＵＶ発光トナーは、第１の記録剤の一態様である。
【００１４】
シート収容部１４０は、プリンタ部における画像形成に用いられるシートを収容する。
【００１５】
画像読取部２００は、読み取り対象の画像情報を光の明暗として読み取る。画像読取部２００は、読み取られた画像情報を記録する。記録された画像情報は、ネットワークを介して他の情報処理装置に送信されてもよい。記録された画像情報は、プリンタ部によってシート上に画像形成されてもよい。
【００１６】
図２は、実施形態の画像読取部２００の光学系の構成を詳しく示すブロック図である。
【００１７】
画像読取部２００は、第１キャリジ２０、第２キャリジ２１、集光レンズ８、ＣＣＤセンサ９が実装されるＣＣＤセンサ基板１０、制御基板１１等を有している。
【００１８】
第１キャリジ２０は、光源２２Ａ、光源２２Ｂ、光源２２Ａ，２２Ｂの配光特性の補正を行うリフレクタ２３、及び第１ミラー２４を具備しており、原稿読み取り時には、図２の矢印方向（副走査方向）に速度２Ｖで移動する。光源２２Ａは、キセノンランプなどで構成され白色光を発光する。光源２２Ｂは、短波長（約３５０−３８０ｎｍ）の紫外光を発光する。以下、いずれの光源２２Ａ，２２Ｂであるかを区別しないときは、単に光源２２として説明する。
【００１９】
一方、第２キャリジ２１は、第２ミラー２５と第３ミラー２６とを具備しており、副走査方向に速度Ｖで移動する。第２キャリジ２１の移動速度を第１キャリジ２０の半分に設定することによって、光源２２が副走査方向に移動しても光源２２からＣＣＤセンサ９までの光路長は一定に保持される。
【００２０】
読取部２の上側には、原稿Ｏを載置するための原稿ガラス台３０、原稿Ｏが浮かないように押さえつける原稿押さえカバー３１、及び白色の基準となる白基準板３２が設けられている。
【００２１】
光源２２から照射された光は原稿ガラス台３０を透過し、原稿Ｏに照射される。原稿Ｏからの反射光は第１ミラー２４、第２ミラー２５、及び第３ミラー２６で反射され、集光レンズ８を透過してＣＣＤセンサ９の受光面に結像する。ＣＣＤセンサ９はＣＣＤセンサ基板１０上に実装され、制御基板１１から入力する制御信号により制御される。
【００２２】
図３は、実施形態の画像形成装置１００の構成を表す機能ブロック図である。画像形成装置１００は、通信部１０１、ディスプレイ１１０、コントロールパネル１２０、第１プリンタ部１３０、第２プリンタ部１３１、シート収容部１４０、制御部１５０及び画像読取部２００を備える。なお、ディスプレイ１１０、コントロールパネル１２０、第１プリンタ部１３０、第２プリンタ部１３１、シート収容部１４０及び画像読取部２００の構成は上述した通りであるため、説明を省略する。
【００２３】
通信部１０１はネットワークインタフェースである。通信部１０１は、ネットワークを介してパーソナルコンピュータ、サーバ等の情報処理装置と通信可能に接続される。通信部１０１は、例えばＬＡＮ（Local Area Network）又はＰＳＴＮ（Public Switched Telephone Networks）等の通信方式で接続される。
【００２４】
制御部１５０は、画像形成装置１００の各部の動作を制御する。制御部１５０は、例えばＣＰＵ（Central Processing Unit）及びＲＡＭ（Random Access Memory）を備える装置により構成される。制御部１５０は、画像形成装置制御プログラムを実行することによって、ＵＶ発光トナー形成情報生成部１５１、画像形成制御部１５２、ＵＶ発光トナー認識部１５３及び画像データ生成部１５４として機能する。
【００２５】
制御部１５０は、通信部１０１又はコントロールパネル１２０を介してジョブを受け付ける。ジョブには、画像読取ジョブと画像形成ジョブとが含まれる。画像読取ジョブは、画像読取部２００の原稿ガラス台３０に配置された原稿を読み取る。画像形成ジョブは画像データに基づいて、画像形成を行うジョブである。
【００２６】
制御部１５０は、画像形成ジョブを受け付けると、画像形成制御部１５２の画像形成モードを決定する。制御部１５０は、画像形成モードをコントロールパネル１２０を介してユーザから受け付ける。画像形成モードは、画像形成制御部１５２が画像形成処理を行う際に、どのトナーを用いて画像形成するか決定する。画像形成モードは画像形成ジョブに含まれていてもよい。画像形成モードには、通常トナーモードとＵＶ発光トナーモードの２モードが含まれる。通常トナーモードは、画像形成ジョブに含まれる画像データを通常トナーで画像形成するモードである。これに対してＵＶ発光トナーモードは、画像データを通常トナーで画像形成することに加えて、所定の情報をＵＶ発光トナーで画像形成するモードである。所定の情報は、ＵＶ発光トナー形成情報で定義される。ＵＶ発光トナー形成情報は、原稿の画像領域を表すポジションマーク及びＱＲコード（登録商標）等のＵＶ発光トナーで画像形成される情報である。ポジションマークは原稿画像の位置合わせを行うための目印として引かれる線であり、十字マーク等で表されるいわゆるトンボと呼ばれるものである。ポジションマークには、画像領域の４隅を表すマーク（図７のＭ１〜Ｍ４参照）と、画像領域の中央を表すセンターマーク（図７のＭ５参照）が含まれる。センターマークは、原稿の上下又は左右のいずれか一カ所に形成されることで、上下又は左右を表すこともできる。ポジションマークの形状は、十字マークに限定されない。ポジションマークは、画像領域が判別できるものであればよい。以下、ポジションマークＭ１からポジションマークＭ５のうち、いずれのポジションマークであるかを区別しないときは、単に「マークＭ」として説明する。ポジションマークは、エリア情報の一態様である。マークＭはエリア画像の一態様である。
【００２７】
制御部１５０は、画像読取ジョブを受け付けると、画像読取部２００による原稿の読取モードを決定する。制御部１５０は、読取モードをコントロールパネル１２０を介してユーザから受け付ける。読取モードは、画像読取部２００が画像読取を行う際に、どの光源を用いて画像読取するか決定する。読取モードは画像読取ジョブに含まれていてもよい。読取モードには、通常読取モードと紫外線読取モードの２モードが含まれる。通常モードは、光源２２Ａを発光させることで、通常トナーで形成された可視画像を読み取るモードである。これに対して紫外線読取モードは、光源２２Ａを発光させることで、可視状態にある画像を読み取ることに加えて、光源２２Ｂを発光させることで、ＵＶ発光トナー又はＵＶ発光インクで形成された不可視画像を読み取るモードである。
【００２８】
ＵＶ発光トナー形成情報生成部１５１は、画像形成制御部１５２にＵＶ発光トナー形成情報を出力する。ＵＶ発光トナー形成情報生成部１５１は、コントロールパネル１２０を介して受け付けた情報に基づいてＵＶ発光トナー形成情報を生成する。ＵＶ発光トナー形成情報生成部１５１は、通信部１０１を介して受け付けた情報に基づいてＵＶ発光トナー形成情報を生成してもよい。ＵＶ発光トナー形成情報は、画像形成情報の一態様である。
【００２９】
画像形成制御部１５２は、第１プリンタ部１３０及び第２プリンタ部１３１を制御することで画像形成処理を行う。以下、第１プリンタ部１３０及び第２プリンタ部１３１のうち、いずれのプリンタ部であるかを区別しないときは、単に「プリンタ部」と称して説明する。
【００３０】
画像形成制御部１５２は、受け付けた情報に基づいて第１画像形成処理又は第２画像形成処理を実行する。第１画像形成処理では、通常トナー及びＵＶ発光トナーを用いて画像形成処理が行われる。第２画像形成処理では、通常トナーを用いて画像形成処理が行われる。受け付けた情報にＵＶ発光トナー形成情報が含まれる場合、画像形成制御部１５２は第１画像形成処理を実行する。受け付けた情報にＵＶ発光トナー形成情報が含まれない場合、画像形成制御部１５２は第２画像形成処理を実行する。
【００３１】
ＵＶ発光トナー認識部１５３は、画像読取部２００によって読み取られた画像情報に含まれるＵＶ発光トナーで画像形成された領域を取得する。ＵＶ発光トナー認識部１５３は、取得された領域に基づいて所定の指示を表す指示情報を画像データ生成部１５４に出力する。所定の指示は例えば、ＵＶ発光トナーで形成されたマークＭに基づいて、読み取られた画像情報の傾きを補正する指示である。また、所定の指示は、ＵＶ発光トナーで形成されたマークＭに基づいて、読み取られた画像情報を上下反転させる指示である。さらに、読み取られた画像情報を所定のファイルパスに保存させる指示であってもよい。また、ユーザが読み取られた画像情報をコピーする場合、ＵＶ発光トナー認識部１５３は、ＵＶ発光トナーで画像形成された領域に基づいて、ＵＶ発光トナー形成情報生成部１５１にＵＶ発光トナー形成情報を生成させてもよい。ＵＶ発光トナー認識部１５３は、紫外線読取モードで画像読取された場合に動作する。ＵＶ発光トナー認識部１５３は、認識部の一態様である。
【００３２】
画像データ生成部１５４は、ＵＶ発光トナー認識部１５３から受け付けた所定の指示と読み取られた画像情報とに基づいて、画像データを生成する。画像データ生成部１５４は、生成された画像データを通信部１０１に出力する。画像データ生成部１５４は、生成された画像データを、所定の指示にて指定されたファイルパスに記憶させてもよい。例えば画像データ生成部１５４は、生成された画像データを画像形成装置１００の記憶部（不図示）に記憶させてもよい。読み取られた画像情報をコピーする場合、画像データ生成部１５４は、画像形成制御部１５２に画像データを出力する。画像形成制御部１５２は、画像データを受け付けると、画像データに基づいて、画像形成処理を行う。
【００３３】
図４は、実施形態の画像形成装置１００の画像形成処理の流れを表すフローチャートである。画像形成装置１００の制御部１５０は画像形成ジョブを受け付ける（ＡＣＴ１０１）。画像形成装置１００のコントロールパネル１２０は、ユーザから画像形成処理時のモードを受け付ける（ＡＣＴ１０２）。制御部１５０は、受け付けた画像形成モードがＵＶ発光トナーモードであるか否か判定する（ＡＣＴ１０３）。画像形成モードがＵＶ発光トナーモードである場合（ＡＣＴ１０３：ＹＥＳ）、ＵＶ発光トナー形成情報生成部１５１は、コントロールパネル１２０から受け付けた情報に基づいて、ＵＶ発光トナー形成情報を生成する（ＡＣＴ１０４）。画像形成制御部１５２は、画像形成ジョブに含まれる画像データとＵＶ発光トナー形成情報とに基づいて、第１プリンタ部１３０及び第２プリンタ部１３１に画像形成させる（ＡＣＴ１０５）。画像形成モードがＵＶ発光トナーモードでない場合（ＡＣＴ１０３：ＮＯ）、画像形成制御部１５２は、画像形成ジョブに含まれる画像データに基づいて、第１プリンタ部１３０に画像形成させる（ＡＣＴ１０６）。
【００３４】
図５は、実施形態の画像形成装置１００の画像読取処理の流れを表すフローチャートである。画像形成装置１００の制御部１５０は画像読取ジョブを受け付ける（ＡＣＴ２０１）。画像形成装置１００のコントロールパネル１２０は、ユーザから画像読取処理時のモードを受け付ける（ＡＣＴ２０２）。制御部１５０は、受け付けた画像読取モードが紫外線読取モードであるか否か判定する（ＡＣＴ２０３）。
【００３５】
画像読取モードが紫外線読取モードである場合（ＡＣＴ２０３：ＹＥＳ）、画像形成装置１００の画像読取部２００は、ＵＶトナー像及び通常トナー像の読取処理を実行する（ＡＣＴ２０４）。画像形成装置１００のＵＶ発光トナー認識部１５３は、画像読取部２００によって読み取られた画像情報からＵＶ発光トナーで画像形成された領域を取得する（ＡＣＴ２０５）。画像データ生成部１５４は、ＵＶ発光トナー認識部１５３が取得した領域と画像情報とに基づいてＵＶトナー像及び通常トナー像の画像データを生成する（ＡＣＴ２０６）。画像読取モードが紫外線読取モードでない場合（ＡＣＴ２０３：ＮＯ）、画像形成装置１００の画像読取部２００は、通常トナー像の読取処理を実行する（ＡＣＴ２０７）。画像データ生成部１５４は、読み取られた画像情報に基づいて通常トナー像の画像データを生成する（ＡＣＴ２０８）。
【００３６】
図６は、ＵＶ発光トナーで文書情報及びマークＭが画像形成された文書の一具体例である。図６で表される文書には、ＵＶ発光トナーで、文書情報及びマークＭが画像形成されている。ＵＶ発光トナーで画像形成された部分は、ほとんど肉眼ではみえない。したがって、ユーザは通常トナーで画像形成された文書と同様に使用できる。
【００３７】
図７は、実施形態の画像形成装置１００で文書を画像読取した際の画像情報の一具体例である。領域３００は、紫外線読取モードで文書を画像読取した際に画像読取部２００が取得した画像情報である。領域３００は、領域３１０、領域３１１、領域３１２、領域３１３及び領域３２０を含む。領域３１０から領域３１２までは、読み取られた画像情報の傾きを補正するマークＭ１からマークＭ４を含む。領域３１０から領域３１２までのマークＭに基づいて、画像データ生成部１５４は、読み取られた画像情報の傾きを補正する。具体的には、マークＭ１からマークＭ４の各マークを結ぶ線が主走査方向又は副走査方向と平行になるように補正される。領域３１３は、読み取られた画像情報の上下を補正するマークＭ５を含む。マークＭ５は、読み取られた画像情報の上下を補正するポジションマークである。例えば、マークＭ５が、ユーザから見て奥側に配置されるように画像情報は補正される。領域３２０は、ＱＲコードである。ＱＲコードには、例えば読み取られた原稿に関する原稿情報が記録される。
【００３８】
図８は、ＱＲコードに記憶される原稿情報の具体例を示す図である。原稿情報は、作成者、作成日、出力者、出力日、フォルダ及びセキュリティレベルの各値を有する。作成者には、現行の作成者名が記録される。文書作成日には、原稿が作成された日が記録される。出力者には、原稿をシートに画像形成させた者が記録される。出力日には、原稿をシートに画像形成させた日が記録される。フォルダには、読み取られた画像情報が記録されるパスが記録される。セキュリティレベルには、画像情報が公開されてもよい範囲が定義される。
【００３９】
図８に示される例では、作成者の値が“Toshiba Tec”、作成日の値が“2017/01/23”、出力者の値が“Toshiba Taro”、出力日の値が“2017/01/27”、フォルダの値が“\\/local/Taro”、セキュリティレベルの値が“社外秘”である。従って、原稿情報によると、原稿は、２０１７年１月２３日に、Toshiba Tecにより作成されたことがわかる。また、原稿は２０１７年１月２７日に、Toshiba Taroによって画像形成されたことがわかる。さらに、原稿は\\/local/Taroに保存され、セキュリティレベルの値が“社外秘”とされていることがわかる。なお、図８に示される原稿情報は一具体例に過ぎない。そのため、図８とは異なる態様で原稿情報が構成されてもよい。例えば、原稿情報は、出力された回数や画像形成装置１００に対する制御情報を有してもよい。画像形成装置１００に対する制御情報とは、例えば、画像形成装置１００に対してコピー防止指示を送る情報である。
【００４０】
図９は、不適切に原稿が配置される場合の一具体例を示す図である。領域４００は、画像形成装置１００によって読み取りされる２枚の原稿を表す。２枚の原稿のうち、１枚は上下が反対である。したがって、２枚の原稿が画像読取されると、１枚が上下反対の画像データが生成される。領域４１０は、画像形成装置１００の画像読取部２００の一部分を表す。領域４１１は、原稿ガラス台３０に配置された原稿を表す。領域４１１に含まれる原稿は傾いた状態で配置されている。したがって、画像読取されると、傾いた状態で画像データが生成される。
【００４１】
図１０は、ＵＶ発光トナーで画像形成されたポジションマークに基づいて生成された画像データを表す図である。紫外線読取モードで画像読取されると、画像データ生成部１５４は、ＵＶ発光トナーで画像形成されたポジションマークに基づいて原稿を補正し、画像データを生成する。例えば、原稿が上下反対で画像読取された場合、画像データ生成部１５４は、上下反対の画像情報を補正し、画像データを生成する。また、原稿が傾いた状態で読み取りされた場合、画像データ生成部は、ＵＶ発光トナーで画像形成されたポジションマークに基づいて、傾きを補正し、画像データを生成する。したがって、ユーザは原稿のコピー及び画像読取時の操作誤りを低減できる。
【００４２】
このように構成された画像形成装置１００では、ＵＶ発光トナーで画像形成された原稿を紫外線読取モードで画像読取した場合、ＵＶ発光トナー認識部１５３によって、ＵＶ発光トナーで画像形成された画像が取得される。ＵＶ発光トナー認識部１５３は、取得された画像に基づいて、画像データ生成部１５４に、読み取られた画像情報に対する指示を出力する。画像データ生成部１５４は、出力された指示に基づいて、読み取られた画像情報の補正を行う。したがって、ユーザは原稿のコピー及び画像読取時の操作誤りを軽減することができる。
【００４３】
以上説明した少なくともひとつの実施形態によれば、ＵＶ発光トナー認識部１５３及び画像データ生成部１５４を持つことにより、原稿のコピー及び画像読取時の操作誤りを軽減することができる。
【００４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１００…画像形成装置、１１０…ディスプレイ、１２０…コントロールパネル、１３０…第１プリンタ部、１３１…第２プリンタ部、１４０…シート収容部、１５０…制御部、１５１…ＵＶ発光トナー形成情報生成部、１５２…画像形成制御部、１５３…ＵＶ発光トナー認識部、１５４…画像データ生成部、２００…画像読取部、Ｏ…原稿、２…読取部、８…集光レンズ、９…ＣＣＤセンサ、１０…ＣＣＤセンサ基板、１１…制御基板、２０…第１キャリジ、２１…第２キャリジ、２２Ａ…光源、２２Ｂ…光源、２３…リフレクタ、２４…第１ミラー、２５…第２ミラー、２６…第３ミラー、３０…原稿ガラス台、３１…原稿押さえカバー、３２…白基準板
【図１】
2018148269.tif 000003
【図２】
2018148269.tif 000004
【図３】
2018148269.tif 000005
【図４】
2018148269.tif 000006
【図５】
2018148269.tif 000007
【図６】
2018148269.tif 000008
【図７】
2018148269.tif 000009
【図８】
2018148269.tif 000010
【図９】
2018148269.tif 000011
【図１０】
2018148269.tif 000012